(57)【要約】【課題】  ＰＴＴサーバーとＶＭＳサーバーとを互いに連動してＰＴＴ端末機が一般の端末機にＰＴＴ音声データを提供し、かつ一般の端末機がＰＴＴ端末機又は一般の端末機にＰＴＴ音声データを提供する。【解決手段】  本発明に係るＰＴＴサービス移動通信システムにおいては、ＰＴＴ（Push To Talk）音声データをＶＭＳ（Voice Mail System）音声データに変換した後、ＶＭＳサーバーに伝送するＰＴＴサーバーと、ＶＭＳ音声データをＰＴＴ音声データに変換した後、ＰＴＴサーバーに伝送するＶＭＳサーバーと、前記ＰＴＴサーバーとＶＭＳサーバーとの相互連動を利用して送信端末機と受信端末機間にＰＴＴサービスを提供することを特徴とする。【選択図】  図１
2006094473.tif 000002
【特許請求の範囲】
【請求項１】
ＰＴＴ（PushTo Talk）音声データを伝送する送信端末機と、
前記送信端末機から受信された前記ＰＴＴ音声データをＶＭＳ（Voice Mail System）音声データに変換し、前記変換されたＶＭＳ音声データを伝送するＰＴＴサーバーと、
前記ＰＴＴサーバーから受信された前記ＶＭＳ音声データを受信端末機に伝送するＶＭＳサーバーと
を含むことを特徴とするＰＴＴサービス移動通信システム。
【請求項２】
前記ＰＴＴサーバーは、
前記ＰＴＴ音声データをＶＭＳ音声データに変換するモジュールと、
前記変換されたＶＭＳ音声データをＶＭＳサーバーに伝送するモジュールとを含むことを特徴とする請求項１に記載のＰＴＴサービス移動通信システム。
【請求項３】
前記ＶＭＳサーバーは、
前記ＶＭＳ音声データを受信するためのモジュールと、
前記受信されたＶＭＳ音声データを前記受信端末機に伝送するためのモジュールとを含むことを特徴とする請求項１に記載のＰＴＴサービス移動通信システム。
【請求項４】
前記ＶＭＳサーバーは、
前記受信端末機に前記ＶＭＳ音声データの受信可否を知らせるＰＴＴ通知メッセージを伝送するモジュールとを含むことを特徴とする請求項３に記載のＰＴＴサービス移動通信システム。
【請求項５】
前記ＰＴＴサーバーは、
前記送信端末機が伝送した第１番号とＰＴＴサービス領域に存在するＰＴＴ受信端末機の第２番号をチェックするモジュールをさらに含むことを特徴とする請求項２に記載のＰＴＴサービス移動通信システム。
【請求項６】
前記ＰＴＴサーバーは、
前記チェックの結果、前記第１と第２番号が一致しないと、前記ＶＭＳ音声データを前記ＶＭＳサーバーに伝送することを特徴とする請求項５に記載のＰＴＴサービス移動通信システム。
【請求項７】
送信端末機が伝送したＶＭＳ音声データをＰＴＴ音声データに変換した後、ＰＴＴサーバーに伝送するＶＭＳサーバーと、
前記ＰＴＴ音声データを受信してＶＭＳ形式にフォーマットされたＰＴＴ音声データに変換した後、前記ＶＭＳサーバーに伝送するＰＴＴサーバーと、
前記ＰＴＴサーバーが伝送する前記ＶＭＳ形式にフォーマットされたＰＴＴ音声データを受信して再生する受信端末機と
を含むことを特徴とするＰＴＴサービス移動通信システム。
【請求項８】
前記ＶＭＳサーバーは、
前記ＶＭＳ音声データをＰＴＴ音声データに変換するモジュールと、
前記変換されたＰＴＴ音声データを前記ＰＴＴサーバーに伝送するモジュールとを含むことを特徴とする請求項７に記載のＰＴＴサービス移動通信システム。
【請求項９】
前記ＰＴＴサーバーは、
前記ＰＴＴ音声データを受信するモジュールと、
前記受信されたＰＴＴ音声データを前記ＶＭＳ形式にフォーマットされたＰＴＴ音声データに変換するモジュールと、
前記変換されたＶＭＳ形式にフォーマットされたＰＴＴ音声データを前記ＶＭＳサーバーに伝送するモジュールとを含むことを特徴とする請求項７に記載のＰＴＴサービス移動通信システム。
【請求項１０】
前記ＰＴＴサーバーは、
前記送信端末機がＶＭＳサーバーを通じて伝送した第１番号とＰＴＴサービス領域に存在するＰＴＴ受信端末機の第２番号をチェックするモジュールをさらに含むことを特徴とする請求項７に記載のＰＴＴサービス移動通信システム。
【請求項１１】
前記ＰＴＴサーバーは、
前記チェックの結果、前記第１と第２番号が一致しないと、前記ＰＴＴ音声データを前記ＶＭＳサーバーに伝送することを特徴とする請求項１０に記載のＰＴＴサービス移動通信システム。
【請求項１２】
前記ＶＭＳサーバーは、
前記受信端末機に前記ＶＭＳ形式にフォーマットされたＰＴＴ音声データの受信可否を知らせるＰＴＴ通知メッセージを伝送するモジュールを含むことを特徴とする請求項９に記載のＰＴＴサービス移動通信システム。
【請求項１３】
送信端末機がＰＴＴ音声データを伝送する第１段階と、
前記伝送されるＰＴＴ音声データをＶＭＳ音声データに変換し、前記変換されたＶＭＳ音声データを伝送する第２段階と、
前記変換されたＶＭＳ音声データを受信端末機に伝送する第３段階と
を含むことを特徴とするＰＴＴサービス移動通信方法。
【請求項１４】
前記第２段階は、
前記ＰＴＴ音声データをＶＭＳ音声データのフォーマットに変換する段階と、
前記変換されたＶＭＳ音声データをＶＭＳサーバーに伝送する段階とを含むことを特徴とする請求項１３に記載のＰＴＴサービス移動通信方法。
【請求項１５】
前記第３段階は、
前記ＰＴＴ音声データを受信する段階と、
前記受信されたＰＴＴ音声データを前記受信端末機に伝送する段階とを含むことを特徴とする請求項１３に記載のＰＴＴサービス移動通信方法。
【請求項１６】
前記第３段階は、
前記受信端末機に前記ＶＭＳ音声データの受信可否を知らせるＰＴＴ通知メッセージを伝送する段階をさらに含むことを特徴とする請求項１３に記載のＰＴＴサービス移動通信方法。
【請求項１７】
前記ＶＭＳ音声データは、
前記ＰＴＴ音声データが前記ＶＭＳ音声データに変換されたものであることを特徴とする請求項１３に記載のＰＴＴサービス移動通信方法。
【請求項１８】
前記第２段階は、
前記送信端末機がＶＭＳサーバーを通じて伝送した第１番号とＰＴＴサービス領域に存在するＰＴＴ受信端末機の第２番号をチェックする段階をさらに含むことを特徴とする請求項１３に記載のＰＴＴサービス移動通信方法。
【請求項１９】
前記チェックの結果、前記第１と第２番号が一致しないと、前記ＶＭＳ音声データを前記ＶＭＳサーバーに伝送することを特徴とする請求項１８に記載のＰＴＴサービス移動通信方法。
【請求項２０】
送信端末機が伝送したＶＭＳ音声データをＰＴＴ音声データに変換した後、ＰＴＴサーバーに伝送する第１段階と、
前記ＰＴＴ音声データを受信してＶＭＳ形式にフォーマットされたＰＴＴ音声データに変換した後、前記変換されたＶＭＳ形式にフォーマットされたＰＴＴ音声データをＶＭＳサーバーに伝送する第２段階と、
前記受信されたＶＭＳ形式にフォーマットされたＰＴＴ音声データを受信端末機に伝送する第３段階と
を含むことを特徴とするＰＴＴサービス移動通信方法。
【請求項２１】
前記第２段階は、
前記ＶＭＳサーバーが伝送した第１番号とＰＴＴサービス領域に存在するＰＴＴ受信端末機の第２番号をチェックする段階をさらに含むことを特徴とする請求項２０に記載のＰＴＴサービス移動通信方法。
【請求項２２】
前記チェックの結果、前記第１と第２番号が一致しないと、前記ＰＴＴ音声データを前記ＶＭＳサーバーに伝送する段階をさらに含むことを特徴とする請求項２１に記載のＰＴＴサービス移動通信方法。
【請求項２３】
前記第３段階は、
前記受信端末機に前記ＶＭＳ形式にフォーマットされたＰＴＴ音声データの受信可否を知らせるＰＴＴ通知メッセージを伝送する段階をさらに含むことを特徴とする請求項２０に記載のＰＴＴサービス移動通信方法。
【発明の詳細な説明】
【技術分野】
【０００１】
本発明は、移動通信システム及びその方法に係るもので、詳しくは、ＰＴＴ機能に対応していない端末機において、ＰＴＴ機能を使用し得るＰＴＴサービス移動通信システム及びその方法に関するものである。
【背景技術】
【０００２】
一般に、ＰＴＴ（PushTo Talk）とは、一種の無線機のような機能であって、その言葉の通り、スイッチを押して話しながら簡単に意思疎通し得るサービスを言う。このようなＰＴＴサービスは、一般の端末機の待機時間と比較すると、相対的に非常に速い通信サービスを提供し得るし、一般の端末機が有している１対１通信の限界を克服した１対N通信を提供する。従って、ＰＴＴサービスは、１対Ｎ通信サービスを提供するために中小規模のグループを指定することもでき、一回のデータ伝送により指定されたグループの全ての使用者に伝送することもできる。
【０００３】
図４は、従来のＰＴＴ移動通信システムの構成を示した図面である。
【０００４】
従来のＰＴＴ移動通信システムは、図４に示したように、ＰＴＴ機能に対応しているＰＴＴ端末機１０、３０とＰＴＴサーバー２０から構成されていた。
【０００５】
以下、図４を参照してＰＴＴサービスについて説明する。
【０００６】
使用者がＰＴＴサービスを利用しようとする場合、まず、使用者は、ＰＴＴ端末機１０に備えられたＰＴＴ機能を選択した後、ＰＴＴ端末機３０の番号（識別番号又は電話番号）と伝送しようとする音声を入力する。該入力された音声（即ち、ＰＴＴ音声データ）と各番号は、前記ＰＴＴサーバー２０に伝送され、該ＰＴＴサーバー２０は、受信した番号（識別番号又は電話番号）が登録されているかをチェックした後、登録されているＰＴＴ端末機３０にＰＴＴ端末機１０が伝送したＰＴＴ音声データを伝送する。次に、各ＰＴＴ端末機３０に伝送されたＰＴＴ音声データは、スピーカーに出力される。
【発明の開示】
【発明が解決しようとする課題】
【０００７】
しかるに、従来のＰＴＴサービスは、使用者がＰＴＴ機能に対応しているＰＴＴ端末機を購入し、サービスに加入する場合にのみ使用し得るため、既存の端末機を利用してはＰＴＴメッセージを送／受信することが不可能であるという問題点があった。即ち、ＰＴＴ機能に対応していない一般の端末機は、ＰＴＴサービスを利用し得ないという問題点があった。もし、ＰＴＴサービス使用者が必ず伝送しなければならないメッセージをＰＴＴグループ伝送する場合も、一般の端末機利用者にはＳＭＳや音声通話（Voice call）等の他の方法を利用してメッセージを別途に伝達するという問題点があった。
【０００８】
従って、本発明は、ＰＴＴサーバーとＶＭＳサーバーとを互いに連動してＰＴＴ端末機が一般の端末機にＰＴＴ音声データを提供し、かつ一般の端末機がＰＴＴ端末機又は一般の端末機にＰＴＴ音声データを提供することを目的とする。
【課題を解決するための手段】
【０００９】
前記のような本発明の目的を達成するために、本発明に係るＰＴＴサービス移動通信システムは、ＰＴＴ音声データを伝送する送信端末機と、前記送信端末機から受信された前記ＰＴＴ音声データをＶＭＳ音声データに変換し、前記変換されたＶＭＳ音声データを伝送するＰＴＴサーバーと、前記ＰＴＴサーバーから受信された前記ＶＭＳ音声データを受信端末機に伝送するＶＭＳサーバーとを含むことを特徴とする。
【００１０】
また、前記の目的を達成するため、本発明に係るＰＴＴサービス移動通信方法は、送信端末機がＰＴＴ音声データを伝送する第１段階と、前記伝送されるＰＴＴ音声データをＶＭＳ音声データに変換し、前記変換されたＶＭＳ音声データを伝送する第２段階と、前記変換されたＶＭＳ音声データを受信端末機に伝送する第３段階とを含むことを特徴とする。
【００１１】
上記目的を達成するために、本発明は、例えば、以下の手段を提供する。
（項目１）
ＰＴＴ（PushTo Talk）音声データを伝送する送信端末機と、
前記送信端末機から受信された前記ＰＴＴ音声データをＶＭＳ（Voice Mail System）音声データに変換し、前記変換されたＶＭＳ音声データを伝送するＰＴＴサーバーと、
前記ＰＴＴサーバーから受信された前記ＶＭＳ音声データを受信端末機に伝送するＶＭＳサーバーと
を含むことを特徴とするＰＴＴサービス移動通信システム。
（項目２）
前記ＰＴＴサーバーは、
前記ＰＴＴ音声データをＶＭＳ音声データに変換するモジュールと、
前記変換されたＶＭＳ音声データをＶＭＳサーバーに伝送するモジュールとを含むことを特徴とする項目１に記載のＰＴＴサービス移動通信システム。
（項目３）
前記ＶＭＳサーバーは、
前記ＶＭＳ音声データを受信するためのモジュールと、
前記受信されたＶＭＳ音声データを前記受信端末機に伝送するためのモジュールとを含むことを特徴とする項目１に記載のＰＴＴサービス移動通信システム。
（項目４）
前記ＶＭＳサーバーは、
前記受信端末機に前記ＶＭＳ音声データの受信可否を知らせるＰＴＴ通知メッセージを伝送するモジュールとを含むことを特徴とする項目３に記載のＰＴＴサービス移動通信システム。
（項目５）
前記ＰＴＴサーバーは、
前記送信端末機が伝送した第１番号とＰＴＴサービス領域に存在するＰＴＴ受信端末機の第２番号をチェックするモジュールをさらに含むことを特徴とする項目２に記載のＰＴＴサービス移動通信システム。
（項目６）
前記ＰＴＴサーバーは、
前記チェックの結果、前記第１と第２番号が一致しないと、前記ＶＭＳ音声データを前記ＶＭＳサーバーに伝送することを特徴とする項目５に記載のＰＴＴサービス移動通信システム。
（項目７）
送信端末機が伝送したＶＭＳ音声データをＰＴＴ音声データに変換した後、ＰＴＴサーバーに伝送するＶＭＳサーバーと、
前記ＰＴＴ音声データを受信してＶＭＳ形式にフォーマットされたＰＴＴ音声データに変換した後、前記ＶＭＳサーバーに伝送するＰＴＴサーバーと、
前記ＰＴＴサーバーが伝送する前記ＶＭＳ形式にフォーマットされたＰＴＴ音声データを受信して再生する受信端末機と
を含むことを特徴とするＰＴＴサービス移動通信システム。
（項目８）
前記ＶＭＳサーバーは、
前記ＶＭＳ音声データをＰＴＴ音声データに変換するモジュールと、
前記変換されたＰＴＴ音声データを前記ＰＴＴサーバーに伝送するモジュールとを含むことを特徴とする項目７に記載のＰＴＴサービス移動通信システム。
（項目９）
前記ＰＴＴサーバーは、
前記ＰＴＴ音声データを受信するモジュールと、
前記受信されたＰＴＴ音声データを前記ＶＭＳ形式にフォーマットされたＰＴＴ音声データに変換するモジュールと、
前記変換されたＶＭＳ形式にフォーマットされたＰＴＴ音声データを前記ＶＭＳサーバーに伝送するモジュールとを含むことを特徴とする項目７に記載のＰＴＴサービス移動通信システム。
（項目１０）
前記ＰＴＴサーバーは、
前記送信端末機がＶＭＳサーバーを通じて伝送した第１番号とＰＴＴサービス領域に存在するＰＴＴ受信端末機の第２番号をチェックするモジュールをさらに含むことを特徴とする項目７に記載のＰＴＴサービス移動通信システム。
（項目１１）
前記ＰＴＴサーバーは、
前記チェックの結果、前記第１と第２番号が一致しないと、前記ＰＴＴ音声データを前記ＶＭＳサーバーに伝送することを特徴とする項目１０に記載のＰＴＴサービス移動通信システム。
（項目１２）
前記ＶＭＳサーバーは、
前記受信端末機に前記ＶＭＳ形式にフォーマットされたＰＴＴ音声データの受信可否を知らせるＰＴＴ通知メッセージを伝送するモジュールを含むことを特徴とする項目９に記載のＰＴＴサービス移動通信システム。
（項目１３）
送信端末機がＰＴＴ音声データを伝送する第１段階と、
前記伝送されるＰＴＴ音声データをＶＭＳ音声データに変換し、前記変換されたＶＭＳ音声データを伝送する第２段階と、
前記変換されたＶＭＳ音声データを受信端末機に伝送する第３段階と
を含むことを特徴とするＰＴＴサービス移動通信方法。
（項目１４）
前記第２段階は、
前記ＰＴＴ音声データをＶＭＳ音声データのフォーマットに変換する段階と、
前記変換されたＶＭＳ音声データをＶＭＳサーバーに伝送する段階とを含むことを特徴とする項目１３に記載のＰＴＴサービス移動通信方法。
（項目１５）
前記第３段階は、
前記ＰＴＴ音声データを受信する段階と、
前記受信されたＰＴＴ音声データを前記受信端末機に伝送する段階とを含むことを特徴とする項目１３に記載のＰＴＴサービス移動通信方法。
（項目１６）
前記第３段階は、
前記受信端末機に前記ＶＭＳ音声データの受信可否を知らせるＰＴＴ通知メッセージを伝送する段階をさらに含むことを特徴とする項目１３に記載のＰＴＴサービス移動通信方法。
（項目１７）
前記ＶＭＳ音声データは、
前記ＰＴＴ音声データが前記ＶＭＳ音声データに変換されたものであることを特徴とする項目１３に記載のＰＴＴサービス移動通信方法。
（項目１８）
前記第２段階は、
前記送信端末機がＶＭＳサーバーを通じて伝送した第１番号とＰＴＴサービス領域に存在するＰＴＴ受信端末機の第２番号をチェックする段階をさらに含むことを特徴とする項目１３に記載のＰＴＴサービス移動通信方法。
（項目１９）
前記チェックの結果、前記第１と第２番号が一致しないと、前記ＶＭＳ音声データを前記ＶＭＳサーバーに伝送することを特徴とする項目１８に記載のＰＴＴサービス移動通信方法。
（項目２０）
送信端末機が伝送したＶＭＳ音声データをＰＴＴ音声データに変換した後、ＰＴＴサーバーに伝送する第１段階と、
前記ＰＴＴ音声データを受信してＶＭＳ形式にフォーマットされたＰＴＴ音声データに変換した後、前記変換されたＶＭＳ形式にフォーマットされたＰＴＴ音声データをＶＭＳサーバーに伝送する第２段階と、
前記受信されたＶＭＳ形式にフォーマットされたＰＴＴ音声データを受信端末機に伝送する第３段階と
を含むことを特徴とするＰＴＴサービス移動通信方法。
（項目２１）
前記第２段階は、
前記ＶＭＳサーバーが伝送した第１番号とＰＴＴサービス領域に存在するＰＴＴ受信端末機の第２番号をチェックする段階をさらに含むことを特徴とする項目２０に記載のＰＴＴサービス移動通信方法。
（項目２２）
前記チェックの結果、前記第１と第２番号が一致しないと、前記ＰＴＴ音声データを前記ＶＭＳサーバーに伝送する段階をさらに含むことを特徴とする項目２１に記載のＰＴＴサービス移動通信方法。
（項目２３）
前記第３段階は、
前記受信端末機に前記ＶＭＳ形式にフォーマットされたＰＴＴ音声データの受信可否を知らせるＰＴＴ通知メッセージを伝送する段階をさらに含むことを特徴とする項目２０に記載のＰＴＴサービス移動通信方法。
【発明の効果】
【００１２】
本発明は、ＰＴＴサーバーとＶＭＳサーバーとの連動を利用してＰＴＴ端末機と一般の端末機間にもＰＴＴ機能を使用し得るという効果がある。
【発明を実施するための最良の形態】
【００１３】
以下、本発明の好ましい実施形態について添付された図面を用いて説明する。
本発明の基本概念は、ＰＴＴサーバーとＶＭＳサーバーとを互いに連動してＰＴＴ機能に対応していない一般の端末機にＰＴＴサービスを提供することにある。
【００１４】
本発明に係るＰＴＴサービス移動通信システムの構成においては、図１に示したように、各ＰＴＴ端末機１０、３０、ＰＴＴサーバー２０、一般の端末機４０、６０及び、ＶＭＳサーバー５０と、を含む。
【００１５】
また、ＰＴＴサーバー２０には、ＰＴＴ端末機１０が伝送したＰＴＴ音声データをＶＭＳ音声データに変換するためのモジュールと、変換されたＶＭＳ音声データをＶＭＳサーバー５０に伝送するためのモジュールと、ＶＭＳサーバー５０が伝送するＰＴＴ音声データをＰＴＴ端末機３０にそれぞれ伝送するためのモジュールと、が備えられている。
【００１６】
また、ＶＭＳサーバー５０には、一般の端末機４０が伝送した音声データをＰＴＴ音声データに変換するモジュールと、変換されたＰＴＴ音声データをＰＴＴサーバー２０に伝送するためのモジュールと、ＰＴＴサーバー２０が伝送したＶＭＳ形式にフォーマットされた音声データを格納するための格納装置と、前記格納されたＶＭＳ形式にフォーマットされた音声データを一般の端末機６０にそれぞれ伝送するためのモジュールと、が備えられている。
【００１７】
そして、一般の端末機４０、６０には、ＶＭＳ形式にフォーマットされたＰＴＴ音声データを再生するモジュールと、前記ＶＭＳ形式にフォーマットされたＰＴＴ音声データに対する返信を伝送するためのモジュールと、一つ以上の各受信端末機にＰＴＴ用音声データを伝送するためのモジュールと、が備えられている。
【００１８】
以下、図１を参照して本発明の第１実施形態に係るＰＴＴサービス移動通信システムについて説明する。
【００１９】
前記ＰＴＴ端末機１０の使用者がＰＴＴ端末機３０と一般の端末機６０にＰＴＴ音声データを伝送しようとする場合、使用者は、伝送しようとするＰＴＴ端末機３０と一般の端末機６０の番号（識別番号又は電話番号）を選択した後、音声を入力する。前記選択された番号とＰＴＴ音声データが入力されると、前記ＰＴＴ端末機１０は、入力された番号とＰＴＴ音声データをＰＴＴサーバー２０に伝送する。次いで、該ＰＴＴサーバー２０は、ＰＴＴサーバー自体が格納しているＰＴＴ端末機３０の番号の中にＰＴＴ端末機１０が選択して伝送したＰＴＴ端末機３０の番号があると（即ち、ＰＴＴ端末機である場合）、該当ＰＴＴ端末機３０にＰＴＴ音声データをそれぞれ伝送し、前記ＰＴＴ端末機３０はＰＴＴ音声データを再生する。
【００２０】
もし、前記ＰＴＴサーバー２０自体が格納しているＰＴＴ端末機３０の番号の中に前記ＰＴＴ端末機１０が選択して伝送したＰＴＴ端末機３０の番号がないと（即ち、ＶＭＳ端末機である場合）、前記ＰＴＴサーバー２０は、前記ＰＴＴ音声データをＶＭＳ音声データに変換して一般の端末機６０の番号を格納している該当ＶＭＳサーバー５０に伝送する。次いで、該ＶＭＳサーバー５０は、前記番号とＶＭＳサーバー５０自体が格納している一般の端末機６０の番号をチェックしてＶＭＳ音声データを該当する一般の端末機に伝送し、一般の端末機６０は、ＰＴＴ音声データを再生する。
【００２１】
即ち、前記ＰＴＴサーバー２０は、前記ＰＴＴ端末機１０が伝送した番号と既に格納されているＰＴＴ端末機３０の番号をチェックして二つの番号が一致する場合（即ち、ＰＴＴ端末機である場合）は、ＰＴＴ音声データを該当ＰＴＴ端末機３０にそれぞれ伝送し、二つの番号が一致しない場合（即ち、一般の端末機である場合）は、前記ＰＴＴ端末機１０のＰＴＴ音声データをＶＭＳ音声データに変換した後、該当ＶＭＳサーバー５０に伝送する。
【００２２】
以下、本発明の第２実施形態に係るＰＴＴサービス移動通信システムについて図１を参照して説明する。
【００２３】
一般の端末機４０の使用者がＰＴＴ端末機３０と一般の端末機６０に音声データを伝送しようとする場合、まず、使用者は、前記ＶＭＳサーバー５０に接続した後、伝送しようとするＰＴＴ端末機３０と一般の端末機６０の番号（電話番号又は識別番号）と音声を入力する。該入力された各番号と音声は、前記ＶＭＳサーバー５０に伝送されて、該ＶＭＳサーバー５０は、前記ＶＭＳ音声データをＰＴＴ音声データに変換して前記番号と変換されたＰＴＴ音声データを前記ＰＴＴサーバー２０に伝送する。次いで、該ＰＴＴサーバー２０は、受信した各番号とＰＴＴサーバー自体が格納しているＰＴＴ端末機３０の番号をチェックしてＰＴＴ端末機３０の番号があると（即ち、ＰＴＴ端末機である場合）、従来のＰＴＴサーバーがＰＴＴ端末機にＰＴＴ音声データを伝送する方法のように伝送する。しかし、もし、ＰＴＴ端末機の番号がないと（即ち、ＶＭＳ端末機である場合）、前記ＰＴＴサーバー２０は、ＰＴＴ音声データをＶＭＳ音声データに変換して一般の端末機４０の番号を格納している該当ＶＭＳサーバーに伝送する。前記ＶＭＳサーバー５０は、ＶＭＳ形式にフォーマットされたＰＴＴ音声データを格納して、前記番号に該当する一般の端末機６０にＶＭＳ音声データをそれぞれ伝送する。
【００２４】
即ち、前記ＶＭＳサーバー５０は、一般の端末機４０が伝送した各番号とＶＭＳ音声データをＰＴＴ音声データに変換したＰＴＴ音声データを該当ＰＴＴサーバー２０に伝送し、該ＰＴＴサーバー２０は、ＶＭＳサーバー５０から受信した番号をチェックして該チェックされた番号が一般の端末機である場合、ＰＴＴ音声データをＶＭＳ音声データに変換して該当ＶＭＳサーバーに伝送する。次いで、該ＶＭＳサーバー５０は、受信したＶＭＳ形式にフォーマットされたＰＴＴ音声データを格納して、前記番号に該当する一般の端末機６０にＶＭＳ音声データをそれぞれ伝送する。
【００２５】
図２は、本発明の第１実施形態に係るＰＴＴサービス移動通信方法を示したフローチャートである。
【００２６】
以下、本発明の第１実施形態に係るＰＴＴ端末機１０がＰＴＴ端末機３０と一般の端末機６０にＰＴＴ音声データを伝送するＰＴＴサービス移動通信方法について図２を参照して説明する。
【００２７】
ＰＴＴ端末機１０の使用者がＰＴＴサービスを利用してＰＴＴ端末機及び一般の端末機に音声データを伝送しようとする場合、使用者は、端末機に備えられたＰＴＴ機能を選択し、一つ以上の端末機の番号（識別番号又は電話番号）と伝送しようとするＰＴＴ音声を入力する（Ｓ１００）。該入力された受信端末機の番号とＰＴＴ音声データは、前記ＰＴＴサーバー２０に伝送される（Ｓ１０４）。該ＰＴＴサーバー２０は、使用者が入力した各番号が前記ＰＴＴ端末機３０の番号であるか、又は一般の端末機６０の番号であるかを判断するため、ＰＴＴサーバー自体に格納している番号とチェックし、ＰＴＴ端末機の番号であると（即ち、ＰＴＴ端末機である場合）、前記ＰＴＴ音声データを前記ＰＴＴ端末機３０にそれぞれ伝送し、一般の端末機の番号であると（即ち、一般の端末機である場合）、ＰＴＴ音声データをＶＭＳフォーマットの音声データに変換した後、一般の端末機の番号と前記変換されたＶＭＳ音声データをＶＭＳサーバー５０に伝送する（Ｓ１０６、Ｓ１０８）。
【００２８】
前記ＶＭＳサーバー５０は、ＶＭＳ形式にフォーマットされたＰＴＴ音声データを格納し、音声データが到着したという案内メッセージであるＰＴＴ通知メッセージを一般の端末機６０に伝送する（Ｓ１１０、Ｓ１１２）。該一般の端末機６０は、前記通知メッセージを知らせ、聴取するかを使用者に選択させる（Ｓ１１４）。通知メッセージを認識した使用者が音声データを聴取しようとする場合、一般の端末機は、ＶＭＳサーバーに接続し、該ＶＭＳサーバーは、ＰＴＴ端末機の使用者が入力した音声データを一般の端末機にそれぞれ伝送し、結局、一般の端末機は、ＰＴＴ音声データを再生する（Ｓ１１８）。
【００２９】
一般の端末機の使用者がＰＴＴ端末機１０が伝送した音声データを聴取した後、該音声データに対する返信をＰＴＴ端末機１０に伝送しようとする場合、使用者は、音声を入力する（Ｓ１２０）。前記入力されたＶＭＳ音声データは、ＶＭＳサーバー５０に伝送されて、該ＶＭＳサーバー５０は、前記ＶＭＳ音声データをＰＴＴ音声データに変換する（Ｓ１２２、Ｓ１２４）。そして、該ＶＭＳサーバー５０は、ＰＴＴ端末機の番号とＰＴＴ音声データをＰＴＴサーバーに伝送する（Ｓ１２６）。前記ＰＴＴサーバー２０は、番号に該当するＰＴＴ端末機にＰＴＴ音声データを伝送し、ＰＴＴ音声データを受信したＰＴＴ端末機は、受信した音声データを出力する（Ｓ１２８、Ｓ１３０）。
【００３０】
図３Ａ及び図３Ｂは、本発明の第２実施形態に係るＰＴＴサービス移動通信方法を示したフローチャートである。
【００３１】
以下、本発明の第２実施形態に係る一般の端末機４０がＰＴＴ端末機３０と一般の端末機６０にＰＴＴ音声データを伝送するＰＴＴサービス移動通信方法について図３Ａ及び図３Ｂを参照して説明する。
【００３２】
一般の端末機４０の使用者がＰＴＴシステムを利用してＰＴＴ端末機及び一般の端末機にＰＴＴ音声データを伝送しようとする場合、まず、使用者は、一般の端末機４０を利用してＶＭＳサーバー５０に接続した後、ＰＴＴ機能を選択する（Ｓ２００）。該ＰＴＴ機能が選択されると、使用者は、送信しようとする端末機の各番号と音声を入力する（Ｓ２０２）。使用者が入力した各番号とＶＭＳ音声データは、前記ＶＭＳサーバー５０に伝送されて、該ＶＭＳサーバーは、受信したＶＭＳ音声データをＰＴＴ音声データに変換する（Ｓ２０４、Ｓ２０６）。次いで、前記ＶＭＳサーバー５０は、変換されたＰＴＴ音声データと番号をＰＴＴサーバー２０に伝送する（Ｓ２０８）。ＰＴＴサーバーは、ＶＭＳサーバーから受信した番号が一般の端末機の番号であるかをチェックして前記番号が一般の端末機の番号ではない場合（即ち、ＰＴＴ端末機である場合）は、ＰＴＴ音声データを該当番号に該当する各ＰＴＴ端末機３０に伝送し、もし、前記番号が一般の端末機の番号である場合（即ち、一般の端末機である場合）は、前記ＰＴＴサーバーは、ＰＴＴ音声データをＶＭＳ音声データに変換する（Ｓ２１０）。次いで、前記ＰＴＴサーバー２０は、番号と前記変換されたＶＭＳ音声データをＶＭＳサーバー５０に伝送し、ＶＭＳサーバーは、受信したＶＭＳ形式にフォーマットされたＰＴＴ音声データを格納する（Ｓ２１２、Ｓ２１４）。次いで、前記ＶＭＳサーバーは、メッセージが到着したという案内メッセージであるＰＴＴ通知メッセージを該当の一般の端末機に伝送する（Ｓ２１６）。前記一般の端末機の使用者が音声データを聴取しようとする場合、使用者は、前記ＶＭＳサーバーに接続し、該ＶＭＳサーバーは、一般の端末機に格納されたＶＭＳ音声データを伝送し、一般の端末機は、受信した音声データを再生する（Ｓ２１８、Ｓ２２０、Ｓ２２２）。
【００３３】
一般の端末機の使用者が音声データを聴取した後、該音声データに対する返信を伝送しようとする場合、使用者は、音声を入力する（Ｓ２２４）。該入力されたＶＭＳ音声は、前記ＶＭＳサーバー５０に伝送され、該ＶＭＳサーバーは、ＶＭＳ音声データをＰＴＴ音声データに変換する（Ｓ２２６、Ｓ２２８）。次いで、前記ＶＭＳサーバーは、一般の端末機の番号と変換されたＰＴＴ音声データをＰＴＴサーバーに伝送し、ＰＴＴサーバー２０は、受信したＰＴＴ音声データをＶＭＳ音声データに変換する（Ｓ２３０、Ｓ２３２）。次いで、前記ＰＴＴサーバー２０は、番号と変換されたＶＭＳ音声データをＶＭＳサーバーに伝送し、該ＶＭＳサーバーは、受信したＶＭＳ形式にフォーマットされたＰＴＴ音声データを格納する（Ｓ２３４、Ｓ２３６）。次いで、前記ＶＭＳサーバーは、番号に該当する一般の端末機にＶＭＳ音声データを伝送し、ＶＭＳ音声データを受信した一般の端末機は、該受信された音声データを出力する（Ｓ２３８、Ｓ２４０）。
【００３４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３５】
ＰＴＴサーバーとＶＭＳサーバーとを互いに連動してＰＴＴ端末機が一般の端末機にＰＴＴ音声データを提供し、かつ一般の端末機がＰＴＴ端末機又は一般の端末機にＰＴＴ音声データを提供する。
【００３６】
本発明に係るＰＴＴサービス移動通信システムにおいては、ＰＴＴ（Push To Talk）音声データをＶＭＳ（Voice Mail System）音声データに変換した後、ＶＭＳサーバーに伝送するＰＴＴサーバーと、ＶＭＳ音声データをＰＴＴ音声データに変換した後、ＰＴＴサーバーに伝送するＶＭＳサーバーと、前記ＰＴＴサーバーとＶＭＳサーバーとの相互連動を利用して送信端末機と受信端末機間にＰＴＴサービスを提供することを特徴とする。
【図面の簡単な説明】
【００３７】
【図１】本発明に係るＰＴＴサービス移動通信システムを示した構成図である。
【図２】本発明の第１実施形態に係るＰＴＴサービス移動通信方法を示したフローチャートである。
【図３Ａ】本発明の第２実施形態に係るＰＴＴサービス移動通信方法を示したフローチャートである。
【図３Ｂ】本発明の第２実施形態に係るＰＴＴサービス移動通信方法を示したフローチャートである。
【図４】従来のＰＴＴ移動通信システムを示した構成図である。
【符号の説明】
【００３８】
１０:送信するＰＴＴ端末機
２０:ＰＴＴサーバー
３０:受信するＰＴＴ端末機
４０:送信する一般の端末機
５０:ＶＭＳサーバー
６０:受信する一般の端末機
【図２】
2006094473.tif 000003
【図３Ａ】
2006094473.tif 000004
【図３Ｂ】
2006094473.tif 000005
【図１】
2006094473.tif 000006
【図４】
2006094473.tif 000007